(57)【要約】【課題】  各蒸気消毒対象土壌への蒸気供給管の切り替えや，消毒後のボイラの停止を自動的に行わせる蒸気土壌消毒システムを供給する。【解決手段】  土壌温度センサの計測信号で消毒弁を開閉させるようにし，現在消毒中の土壌の温度が設定値まで上昇したら，次の消毒対象の消毒弁を開けると共にこれまで開いていた消毒弁を閉じ，全ての消毒対象の温度が一度は設定値まで上昇したらボイラの運転を自動停止させる。【選択図】図３
2005110646.tif 000002
【特許請求の範囲】
【請求項１】
ボイラで発生させた蒸気で土壌を消毒する設備において，蒸気を供給する管に，複数の消毒対象土壌に供給するための分岐配管を設け，分岐した各々の管に遠隔操作で開閉できる弁を設けたことを特徴とする蒸気土壌消毒システム。
【請求項２】
請求項１の設備で，複数の消毒対象からデータを伝送できる温度センサとコントローラを設け，所定の温度になれば弁を自動的に開閉できるようにしたことを特徴とする蒸気土壌消毒システム。
【請求項３】
請求項２で，始めに蒸気を供給する弁を開き，その他の弁を閉じ，以降次の弁の一ヶ所若しくは複数箇所を開くと同時にこれまで開いていた弁を閉じ，全ての消毒対象が所定の温度に到達後，自動的に全ての弁若しくは特定の弁を開いたまま，ボイラを自動停止させるように制御することを特徴とする蒸気土壌消毒システ厶。
【請求項４】
請求項１の設備で，分岐配管上流側の蒸気圧力が予め設定した許容圧力より高くなった場合に，蒸気を外部に緊急放出し，同時にボイラを自動停止するようにしたことを特徴とする蒸気土壌消毒システ厶。
【発明の詳細な説明】
【発明の詳細な説明】
【技術分野】
【０００１】      本発明は，蒸気の熱で殺菌消毒する蒸気土壌消毒システムに関する。
【背景技術】
【０００２】  従来は，ボイラで発生させた蒸気を，蒸気供給管に連結させた蒸気ホースやパイプから対象土壌に噴射して土壌消毒している。消毒終了後次の消毒対象に移るにはボイラを一時停止させたり，次の蒸気ホースやパイプに蒸気消毒管を繋ぎ替えて再び消毒を実施している。また，全ての消毒が終了したら，ボイラの運転を停止していた。
【発明が解決しようとする課題】
【０００３】  特に農業用の蒸気土壌消毒は，対象土壌の面積が広いため，一ヶ所当たりの消毒に半日以上かかる場合がある。さらに，消毒完了の確認は土壌中の温度を計るしかなく，自宅から離れた場所に農場が有る場合は，確認だけでも手間なことが多かった。そして消毒終了後は，残熱で火傷の恐れがある蒸気供給管と，次の消毒場所の新たな蒸気ホースとの繋ぎ換えを行っており，消毒作業が深夜に及ぶ場合などは不安全な作業になることがあった。本発明で解決しようとする課題は，人力による高温作業や深夜の時間帯での作業を解消し，自動的に消毒場所の移動や終了後のボイラ停止を行なわせることにある。
【課題を解決するための手段】
【０００４】［解決手段１］
蒸気を供給する管に，複数の消毒対象へ供給するための蒸気分岐配管を設け，分岐した各々の管に遠隔操作で開閉できる弁を設ける。
［解決手段２］
複数の消毒対象に各々温度データを伝送できる温度センサーおよびコントローラを設け，所定の温度になれば弁を自動的に開閉できるようする。
［解決手段３］
始めに蒸気を供給する消毒ホースに繋がる弁を開き，その他の弁を閉じ，以降次の一ヶ所若しくは複数の弁を開くと同時にこれまで開いていた弁を閉じ，全ての消毒対象が所定の温度に到達後，自動的に全ての弁若しくは特定の弁を開いたままボイラを自動停止させるようにコントローラを設定する。
［解決手段４］
万一の自動開閉弁の故障に備え，分岐配管上流側の蒸気圧力が予め設定した許容圧力より高くなった場合に，蒸気を外部に緊急放出し同時にボイラを自動停止する。
【発明を実施するための最良の形態】
【０００５】  以下本発明の実施の形態を図に基づいて説明する。図において，図１は本発明の実施例を示す配管系統図，図２は消毒土壌の部分横断面図，図３は土壌消毒開始後自動的に弁を切り替えて，順次消毒を進めていく作業のフローチャートである。
図１，図２において，１はボイラであり，内部で発生させた蒸気を，蒸気元弁２から蒸気供給管３，蒸気分岐管４及び外部電気信号で自動開閉する消毒弁５を経て蒸気ホース６に供給するものである。消毒弁５が万一誤動作し，蒸気供給管３内の蒸気供給圧力が設定圧力より異常に高くなった場合は，緊急放出弁１３により自動的に蒸気を放出させる。【０００６】  本実施例では，農業用の土壌を示しており，土壌に４本の畝１０を立てている（図２）。これによって蒸気は４経路に分岐できるよう蒸気分岐管４を設け，各々に蒸気ホース６を接続している。各畝（１０ａ，１０ｂ，１０ｃ，１０ｄ）の内部には各温度センサ（７ａ，７ｂ，７ｃ，７ｄ）を埋設し，信号をケーブル８ａでコントローラ９に送っている。畝１０の消毒は，各消毒ホース（６ａ，６ｂ，６ｃ，６ｄ）から放出される蒸気の熱エネルギーによって行うが，蒸気は空気より軽いため，畝１０の上面はシート１１で覆い，各々の畝１０の間で各重し（１２ａ，１２ｂ，１２ｃ，１２ｄ，１２，ｅ）で押さえつけ，蒸気をシート１１の内側に封じ込めている。【０００７】  図３のフローチャートは，四本の畝１０を自動的に順次消毒していく方法を示している。まずボイラ１の運転を始め（ステップＳ１），蒸気の圧力が上がり消毒凖備が完了したら（スッテプＳ２），消毒弁５ａを開け，手動により蒸気元弁２を開けることで消毒開始する（ステップＳ３→Ｓ４→Ｓ５）。先に消毒弁５ａを開ける理由は，蒸気元弁２を先に開けることによるボイラ１内の高い蒸気圧力が，分岐管４に作用することを防ぐためである。蒸気ホース６には無数の細孔が開いており，この細孔から蒸気が噴射することで畝１０が加熱される。蒸気元弁２は手動操作によにより，ボイラ内の蒸気圧力が予め規定した圧力になるよう開度設定する。【０００８】  消毒を開始し，畝１０ａの温度センサ７ａの温度測定値が設定値に到達したら，この畝の消毒が完了する。同時に温度センサ７ａの信号がケーブル８ａで伝送され，コントローラ９からケーブル８ｂを経て消毒弁５ｂが開かれる。次ぎに消毒弁５ａが閉じられる。先に消毒弁５ａを閉じない理由は，一時的に全消毒弁が閉じられることにより，蒸気供給管３や蒸気分岐管４内の圧力が急上昇することを防ぐためである。【０００９】  以下順次同様に各畝（１０ｂ，１０ｃ，１０ｄ）の温度が設定値に到達したら，自動的に消毒弁（５ｂ，５ｃ，５ｄ）を一ヶ所若しくは複数箇所開閉し消毒を継続させる。全ての畝１０の温度が一度は設定温度に到達したら，コントローラ９からの信号をケーブル８ｃを経てボイラ１に送り，ボイラ１の運転を自動停止させる。最後に開けた消毒弁５ｄは開いたままになっているため，ボイラ内の蒸気は放出される。【００１０】  緊急放出弁作動時は，蒸気出口部分に設置した温度センサ７ｅにより，放出蒸気温度を感知し，ボイラを自動停止させる。
【発明の効果】
以上の説明から明らかなように，本発明は，手作業で消毒準備を終えた後，複数の消毒対象の土壌にボイラで発生させた蒸気を供給する分配管中に，自動開閉可能な消毒弁を複数設け，各消毒対象の温度を温度センサで計測し，消毒対象温度が予め設定した温度に到達したら，コントローラにより消毒弁を開閉させることで，複数の対象に順次無人で消毒を継続させることが出来る。全ての消毒対象の消毒が終了したら自動的にボイラを停止させるため，深夜の消毒も可能になる。ボイラ内の残留蒸気も全て消毒対象に供給し終えるため，ボイラを初期状態で保持できる。また，万一，消毒弁の誤動作等で，ボイラから分岐管までの配管内部の蒸気圧力が設定値以上に上昇した場合は緊急放出弁が開放され，異常な蒸気圧力の発生を防ぐことができる。緊急放出弁作動時は，蒸気放出部位に設置した温度センサで温度を感知し，ボイラを自動停止させるため設備の保全が図られる。
【図面の簡単な説明】
【図１】本発明の実施例を示す配管系統図である。
【図２】消毒土壌の部分横断面図である。
【図３】土壌消毒開始後自動的に弁を切り替えて，順次消毒進めていく作業のフローチャートである。
【符号の説明】
１      ボイラ
２      蒸気元弁
３      蒸気供給配管
４      蒸気分岐管
５      消毒弁
５ａ    一番目の消毒弁
５ｂ    二番目の消毒弁
５ｃ    三番目の消毒弁
５ｄ    四番目の消毒弁
６      消毒ホース
６ａ    一番目の消毒ホース
６ｂ    二番目の消毒ホース
６ｃ    三番目の消毒ホース
６ｄ    四番目の消毒ホース
７      温度センサ
７ａ    一番目の温度センサ
７ｂ    二番目の温度センサ
７ｃ    三番目の温度センサ
７ｄ    四番目の温度センサ
７ｅ    緊急放出弁の温度センサ
８      ケーブル
８ａ    温度センサケーブル
８ｂ    消毒弁ケーブル
８ｃ    ボイラケーブル
９      コントローラ
１０    土壌の畝
１０ａ  一番目の畝
１０ｂ  二番目の畝
１０ｃ  三番目の畝
１０ｄ  四番目の畝
１１    シート
１２    重し
１３    緊急放出弁
【図１】
2005110646.tif 000003
【図２】
2005110646.tif 000004
【図３】
2005110646.tif 000005